(57)【要約】【課題】  ファイブインワン型メモリカードコネクタの提供。【解決手段】  本体にスロットが設けられて、該スロットはＳＤ、ＭＭＣ４．０、ＭＭＣ、ＲＳ−ＭＭＣ、及びｍｉｎｉＳＤの五種類の規格のメモリカードのいずれの一種類でも挿入でき、該スロットの中段部分に第１端子セットが設けられて、ＳＤ、ＭＭＣ４．０、ＭＭＣ、ＲＳ−ＭＭＣの四種類のメモリカードの任意の一種類のメモリカードのピンが該第１端子セットと電気的に接続可能で、スロットの後段の深い部分に第２端子セットが設けられてｍｉｎｉＳＤメモリカードのピンとの電気的接続に供され、このほか、スロット前段部分に第３端子セットが設けられてＭＭＣ４．０メモリカードのデータピンと電気的に接続され、且つ前述の第１から第３端子セットがそれぞれスロット内の下方に位置して各メモリカードがいずれもピンを下向きとして挿入される。【選択図】        図２
0003111048.tif 000002
【実用新案登録請求の範囲】
【請求項１】
本体にスロットが設けられて、該スロットはＳＤ、ＭＭＣ４．０、ＭＭＣ、ＲＳ−ＭＭＣ、及びｍｉｎｉＳＤの五種類の規格のメモリカードのいずれの一種類のメモリカードでも挿入、位置決めできるファイブインワン型メモリカードコネクタにおいて、
該スロットの底面に第１、第２、第３端子セットが設けられ、そのうち第１端子セットはスロットの中段部分に設けられて、ＳＤ、ＭＭＣ４．０、ＭＭＣ、ＲＳ−ＭＭＣの四種類のメモリカードの任意の一種類のメモリカードのピンとの電気的接続に供され、第２端子セットはスロットの後段の深い部分に設けられてｍｉｎｉＳＤメモリカードのピンとの電気的接続に供され、第３端子セットはスロット前段部分に設けられてＭＭＣ４．０メモリカードのデータピンとの電気的接続に供されることを特徴とする、ファイブインワン型メモリカードコネクタ。
【請求項２】
請求項１記載のファイブインワン型メモリカードコネクタにおいて、第１、第２、第３端子セットが本体の後側よりスロットに向けて延伸されたことを特徴とする、ファイブインワン型メモリカードコネクタ。
【請求項３】
請求項１記載のファイブインワン型メモリカードコネクタにおいて、スロット内に第１位置決め部及び第１感応弾性片が設けられて、ＳＤ、ＭＭＣ４．０、ＭＭＣ、ＲＳ−ＭＭＣメモリカード挿入時の位置決めと、これらのメモリカードが定位まで挿入されたかの検出に供されることを特徴とする、ファイブインワン型メモリカードコネクタ。
【請求項４】
請求項１記載のファイブインワン型メモリカードコネクタにおいて、スロット内に第２位置決め部及び第２感応弾性片が設けられて、ｍｉｎｉＳＤメモリカード挿入時の位置決めと、ｍｉｎｉＳＤメモリカードが定位まで挿入されたかの検出に供されることを特徴とする、ファイブインワン型メモリカードコネクタ。
【考案の詳細な説明】
【技術分野】
【０００１】
本考案はメモリカードコネクタに係り、特に、ＳＤ（ＳｅｃｕｒｅＤｉｇｉｔａｌ  Ｃａｒｄ）、ＭＭＣ４．０（ＭｕｌｔｉＭｅｄｉａＣａｒｄ４．０）、ＭＭＣ（ＭｕｌｔｉＭｅｄｉａＣａｒｄ）、ＲＳ−ＭＭＣ（Ｒｅｄｕｃｅｄ  Ｓｉｚｅ  ＭｕｌｔｉＭｅｄｉａＣａｒｄ）、及びｍｉｎｉＳＤ（Ｍｉｎｉ−ＳｅｃｕｒｅＤｉｇｉｔａｌ  Ｃａｒｄ）等の規格のメモリカードのピンと電気装置の、電源、データ伝送回路の接続に供される、ファイブインワン型メモリカードコネクタに関する。
【背景技術】
【０００２】
近年、メモリカード（或いはフラッシュメモリカードと称される）形式の保存媒体は、軽量、薄型、コンパクト、高保存容量、耐震、重複記憶可能等の優れた特性により、広く情報家電、パーソナルコンピュータ、或いは携帯式デジタル製品（以下に電気装置と総称する）に運用されている。
【０００３】
また、一般にメモリカードを保存媒体とする電気装置は、基本的に、特定規格のメモリカードをデータ保存媒体となし、現在よく見られるメモリカード規格には、ＣＦ（登録商標）、ＳＭ（ＳｍａｒｔＭｅｄｉａ（登録商標）  Ｃａｒｄ）、ＭＳ（Ｍｅｍｏｒｙ  Ｓｔｉｃｋ  Ｃａｒｄ）、ＳＤ（ＳｅｃｕｒｅＤｉｇｉｔａｌ  Ｃａｒｄ）、ＭＭＣ（ＭｕｌｔｉＭｅｄｉａＣａｒｄ）、ＲＳ−ＭＭＣ（Ｒｅｄｕｃｅｄ  Ｓｉｚｅ  ＭｕｌｔｉＭｅｄｉａＣａｒｄ）等があり、また市場には携帯電話専用に開発されたｍｉｎｉＳＤ（Ｍｉｎｉ−ＳｅｃｕｒｅＤｉｇｉｔａｌ  Ｃａｒｄ）とＴＦ（ＴｒａｎｓＦｌａｓｈ  Ｃａｒｄ）がある。
【０００４】
しかし、現在市場にある各種規格のメモリカードは消費者に、メモリカードが携帯式デジタル製品とコンピュータシステム、コンピュータ周辺設備等電気装置との間で有効な流通を達成できず、消費者が製品を購入する上での制限を形成する、という問題をもたらしている。このため、一部のメモリカードメーカーは既存のメモリカード規格と相容するがサイズがやや小さいメモリカードを開発して体積が比較的小さい携帯式デジタル電気装置の使用に符合させている。
【０００５】
たとえば、ＳＤ、ＭＭＣは外形サイズが同じメモリカードであり、ＲＳ−ＭＭＣメモリカードのチップ、電気規格（伝送協定）はＭＭＣメモリカードと同じであるが、外形サイズはＭＭＣメモリカードよりやや小さく、同様にｍｉｎｉＳＤメモリカードのチップ、電気規格はＳＤメモリカードと同じであるが、外形サイズはＳＤメモリカードよりやや小さい。
【０００６】
特に、セルラーホーン、ＤＳＣ、ＤＶＣ等の装置の大容量要求に対して伝送速度アップのために、最近市場にＭＭＣ４．０メモリカードが出現し、これはＭＭＣメモリカードの伝送速度の改善に対して、ピン数量を９ピンから１３ピンに改めている。ＭＭＣ及びＳＤメモリカードの４ビットでデータ伝送する形式と較べると、ＭＭＣ４．０は８ビットでデータ伝送する。言い換えると、ＭＭＣ４．０メモリカードにおいて増加した４本のピンは更に多くのデータの伝送チャネルを提供でき、ゆえに伝送速度を増して電気装置の大容量伝送の要求に符合し、並びに十分に古い規格と相容する。
【０００７】
ＭＭＣ４．０、ＲＳ−ＭＭＣ、ｍｉｎｉＳＤメモリカードの外形は前述のＭＭＣ、ＳＤの二種類のメモリカードとやや異なり、このため現在の既存の技術から述べると、すでに同時にＳＤ、ＭＭＣ、ＲＳ−ＭＭＣ、ｍｉｎｉＳＤの４種類のメモリカードが共用できるマルチメモリカードコネクタがある。しかし、ＭＭＣ４．０メモリカードも挿入使用できるコネクタはまだなく、このためＭＭＣ４．０と古い規格の応用装置の応用には制限がある。
【０００８】
さらにマルチメモリカードコネクタの本体は対応するメモリカードを確実に位置決めできるスロット（或いは関係する位置決め構造）を具備する必要があるほか、良好な端子構造設計を配備している必要があり、それによって対応するメモリカードと電気装置の回路に接続を構成させることができる。
【０００９】
市場の各種の多種類のメモリカードを挿入できるマルチメモリカードコネクタは、端子構造設計の問題に制限されるために、メモリカードをコネクタに挿入する時に同一方向には挿入できない。即ち、あるメモリカードはメモリカード端子が下向きとされて挿入され、またあるメモリカードはメモリカード端子が上向きとされた反対方向に挿入される。このため消費者に混乱をもたらし、カード挿入時に挿入方向が正しいかを確認しなければならず、使用上、相当に不便である。
【考案の開示】
【考案が解決しようとする課題】
【００１０】
本考案は一種のファイブインワン型メモリカードコネクタを提供することを目的とし、それは、本体にスロットが設けられ、このスロットにＳＤ、ＭＭＣ４．０、ＭＭＣ、ＲＳ−ＭＭＣ、及びｍｉｎｉＳＤの五種類のメモリカードの任意の一種のメモリカードを挿入できるものとされ、該スロットの中段部分に第１端子セットが設けられてＳＤ、ＭＭＣ４．０、ＭＭＣ、ＲＳ−ＭＭＣメモリカードのピンが該第１端子セットと電気的に接続可能とされ、スロットの後段の深い部分に第２端子セットが設けられてｍｉｎｉＳＤメモリカードのピンと電気的に接続可能とされ、このほか、スロット前段部分に第３端子セットが設けられてＭＭＣ４．０メモリカードのデータピンと電気的に接続可能とされる。
【００１１】
本考案の目的は前述の五種類の異なる規格のメモリカードの任意のものを挿入できるほか、前述の第１から第３端子セットがそれぞれスロット内の下方に位置して各メモリカードがいずれもピンを下向きとして挿入され、使用者に混同を発生させず、使用に便利な機能を達成できるファイブインワン型メモリカードコネクタを提供することにある。
【課題を解決するための手段】
【００１２】
請求項１の考案は、本体にスロットが設けられて、該スロットはＳＤ、ＭＭＣ４．０、ＭＭＣ、ＲＳ−ＭＭＣ、及びｍｉｎｉＳＤの五種類の規格のメモリカードのいずれの一種類のメモリカードでも挿入、位置決めできるファイブインワン型メモリカードコネクタにおいて、
該スロットの底面に第１、第２、第３端子セットが設けられ、そのうち第１端子セットはスロットの中段部分に設けられて、ＳＤ、ＭＭＣ４．０、ＭＭＣ、ＲＳ−ＭＭＣの四種類のメモリカードの任意の一種類のメモリカードのピンとの電気的接続に供され、第２端子セットはスロットの後段の深い部分に設けられてｍｉｎｉＳＤメモリカードのピンとの電気的接続に供され、第３端子セットはスロット前段部分に設けられてＭＭＣ４．０メモリカードのデータピンとの電気的接続に供されることを特徴とする、ファイブインワン型メモリカードコネクタとしている。
請求項２の考案は、請求項１記載のファイブインワン型メモリカードコネクタにおいて、第１、第２、第３端子セットが本体の後側よりスロットに向けて延伸されたことを特徴とする、ファイブインワン型メモリカードコネクタとしている。
請求項３の考案は、請求項１記載のファイブインワン型メモリカードコネクタにおいて、スロット内に第１位置決め部及び第１感応弾性片が設けられて、ＳＤ、ＭＭＣ４．０、ＭＭＣ、ＲＳ−ＭＭＣメモリカード挿入時の位置決めと、これらのメモリカードが定位まで挿入されたかの検出に供されることを特徴とする、ファイブインワン型メモリカードコネクタとしている。
請求項４の考案は、請求項１記載のファイブインワン型メモリカードコネクタにおいて、スロット内に第２位置決め部及び第２感応弾性片が設けられて、ｍｉｎｉＳＤメモリカード挿入時の位置決めと、ｍｉｎｉＳＤメモリカードが定位まで挿入されたかの検出に供されることを特徴とする、ファイブインワン型メモリカードコネクタとしている。
【考案の効果】
【００１３】
本考案のファイブインワン型メモリカードコネクタは、本体にスロットが設けられ、このスロットにＳＤ、ＭＭＣ４．０、ＭＭＣ、ＲＳ−ＭＭＣ、及びｍｉｎｉＳＤの五種類のメモリカードの任意の一種のメモリカードを挿入できるものとされ、該スロットの中段部分に第１端子セットが設けられてＳＤ、ＭＭＣ４．０、ＭＭＣ、ＲＳ−ＭＭＣメモリカードのピンが該第１端子セットと電気的に接続可能とされ、スロットの後段の深い部分に第２端子セットが設けられてｍｉｎｉＳＤメモリカードのピンと電気的に接続可能とされ、このほか、スロット前段部分に第３端子セットが設けられてＭＭＣ４．０メモリカードのデータピンと電気的に接続可能とされる。
【００１４】
本考案はまた、前述の五種類の異なる規格のメモリカードの任意のものを挿入できるほか、前述の第１から第３端子セットがそれぞれスロット内の下方に位置して各メモリカードがいずれもピンを下向きとして挿入され、使用者に混同を発生させず、使用に便利な機能を達成できる。
【考案を実施するための最良の形態】
【００１５】
図１は本考案のファイブインワン型メモリカードコネクタの基本構造を示す。そのうち、コネクタ１０は、カートリッジ状の本体１１を具え、該本体１１にスロット１２が設けられ、このスロット１２にＳＤメモリカード２１、ＭＭＣ４．０メモリカード２２、ＭＭＣメモリカード２３、ＲＳ−ＭＭＣメモリカード２４、及びｍｉｎｉＳＤメモリカード２５の五種類のメモリカードの任意の一種のメモリカードを挿入、位置決めできる。
【００１６】
前述のスロット１２には複数の端子セットが配設され、複数の端子セットは本体１１の後側よりスロット１２に向けて延伸され（図２）、前述の任意の一種類のメモリカードがスロット１２に挿入される時、複数の端子セットが対応するメモリカードのピン（各メモリカードのピン位置と数量は周知の技術であるため説明を省略する）と電気的に接続し、上述のメモリカードの任意の一種が、いずれも本考案のコネクタにより電気装置の電気回路と接続を構成する。
【００１７】
図２はコネクタ１０の本体１１の平面視による端子セットの配置を示す。図３はコネクタ１０の本体１１の底面視による端子セットの配置を示す。これらの図中、スロット１２は本体１１の前側より後ろ向きに延伸され（図示される下方は本体１１の前側とされる）、並びにスロット１２の後側中段部分に第１端子セット１３１が設けられて、ＳＤ、ＭＭＣ４．０、ＭＭＣ、ＲＳ−ＭＭＣメモリカードのうち任意の一種類のメモリカードのピンと電気的に接続可能とされる。
【００１８】
本考案のコネクタ１０の本体１１のスロット１２の後段部分に第２端子セット１３２が設けられ、ｍｉｎｉＳＤメモリカードとの電気的接続に供される。このほか、本体１１のスロット１２の前段部分に第３端子セット１３３が設けられて、ＭＭＣ４．０メモリカードのデータピンとの電気的接続に供される。
【００１９】
図４と図５に本考案の本体１１の正面視及び背面視による端子配置が示される。本考案のファイブインワン型メモリカードコネクタは、ＳＤ、ＭＭＣ４．０、ＭＭＣ、ＲＳ−ＭＭＣ、及びｍｉｎｉＳＤの任意のメモリカードと電気装置の電気回路の接続を構成する。これにより、前述の第１、第２、第３端子セット（１３１、１３２、１３３）はいずれもスロット１２の底面に設けられ、ＳＤ、ＭＭＣ４．０、ＭＭＣ、ＲＳ−ＭＭＣ、及びｍｉｎｉＳＤメモリカードがいずれもピンを下向きとする同一方向にスロット１２に挿入され、混乱を防止し、且つ使用の便利性を増す。当然、各端子セットはいずれもスロット１２の上面に設けることも可能で、この場合、各メモリカードはピンが上向きとなるように挿入される。
【００２０】
本考案を実施する時は、コネクタ１０のスロット１２の内部にＳＤ、ＭＭＣ４．０、ＭＭＣ、ＲＳ−ＭＭＣメモリカードを位置決めするための第１位置決め部１２１、及びＳＤ、ＭＭＣ４．０、ＭＭＣ、ＲＳ−ＭＭＣメモリカードが定位まで挿入されたかを検出する第１感応弾性片１２２が設けられる。当然、このほかに、ｍｉｎｉＳＤメモリカードを位置決めする第２位置決め部１２３とｍｉｎｉＳＤメモリカードが定位まで挿入されたかを検出する第２感応弾性片１２４が設けられる。
【００２１】
本考案のファイブインワン型メモリカードコネクタは、ＳＤ、ＭＭＣ４．０、ＭＭＣ、ＲＳ−ＭＭＣ、及びｍｉｎｉＳＤメモリカードのうちの任意のメモリカードの挿入に供され、並びに電気装置の電気回路と電源、データの接続を構成できる。これにより本考案は大幅に電気装置とＳＤ、ＭＭＣ４．０、ＭＭＣ、ＲＳ−ＭＭＣ、及びｍｉｎｉＳＤメモリカード保存媒体の接続の適用性と便利性を増すことができ、これにより全体の電気装置の付加機能を高めることができる。
【００２２】
以上の実施例は本考案の実施範囲を限定するものではなく、以上の実施例に基づきなしうる細部の修飾或いは改変は、いずれも本考案の請求範囲に属するものとする。
【図面の簡単な説明】
【００２３】
【図１】本考案のファイブインワン型メモリカードコネクタの外観立体図である。
【図２】本考案の平面視による端子配置表示図である。
【図３】本考案の底面視による端子配置表示図である。
【図４】本考案の正面視による端子配置表示図である。
【図５】本考案の背面視による端子配置表示図である。
【符号の説明】
【００２４】
１０  コネクタ
１１  本体
１２  スロット
１２１  第１位置決め部
１２２  第１感応弾性片
１２３  第２位置決め部
１２４  第２感応弾性片
１３１  第１端子セット
１３２  第２端子セット
１３３  第３端子セット
２１  ＳＤメモリカード
２２  ＭＭＣ４．０メモリカード
２３  ＭＭＣメモリカード
２４  ＲＳ−ＭＭＣメモリカード
２５  ｍｉｎｉＳＤメモリカード
【図１】
0003111048.tif 000003
【図２】
0003111048.tif 000004
【図３】
0003111048.tif 000005
【図４】
0003111048.tif 000006
【図５】
0003111048.tif 000007